(57)【特許請求の範囲】
【請求項１】
装置本体の各部に電力を供給する主電源と、
該主電源から電力が供給され、装置全体の動作を制御する中央制御手段と、
プログラムの実行を停止するスリープモードを有し、前記主電源の動作を制御する主電源制御手段と、
該主電源制御手段に対して割り込み要求を行うタイマ割込手段と、
前記主電源によって充電され、前記主電源制御手段に電力を供給する二次電池とを備え、
動作時、前記主電源制御手段によって制御される前記主電源が起動し、前記中央制御手段によって前記装置全体の動作が制御され、かつ前記二次電池が充電され、
主電源停止時、前記主電源の代わりに前記二次電池によって電力が供給される主電源制御手段は、プログラムの実行を停止したスリープモードであり、前記タイマ割込手段からの割り込み要求に応じて前記スリープモードから稼動状態に移行し、前記主電源の起動要因を検出する処理を行うことを特徴とするファクシミリ装置。
【請求項２】
装置本体の各部に電力を供給する主電源および太陽電池と、
該主電源または該太陽電池から電力が供給され、装置全体の動作を制御する中央制御手段と、
プログラムの実行を停止するスリープモードを有し、前記主電源の動作を制御する主電源制御手段と、
該主電源制御手段に対して割り込み要求を行うタイマ割込手段と、
前記主電源または前記太陽電池によって充電され、前記主電源制御手段に電力を供給する二次電池とを備え、
動作時、前記主電源制御手段によって制御される前記主電源が起動し、前記中央制御手段によって前記装置全体の動作が制御され、かつ前記二次電池が充電され、
主電源停止時、前記主電源の代わりに前記太陽電池または前記二次電池によって電力が供給される主電源制御手段は、プログラムの実行を停止したスリープモードであり、前記タイマ割込手段からの割り込み要求に応じて前記スリープモードから稼動状態に移行し、前記主電源の起動要因を検出する処理を行うことを特徴とするファクシミリ装置。
【請求項３】
主電源制御手段は、前記タイマ割込手段からの割り込み要求に応じて前記スリープモードから稼動状態に移行し、前記主電源の起動要因を検出する処理を行うとともに、前記主電源の起動要因が検出されると、前記主電源を起動する一方、前記主電源の起動要因が検出されないと、前記スリープモードに復帰することを特徴とする請求項１または２記載のファクシミリ装置。
【請求項４】
スイッチ手段を備え、
主電源停止時、前記主電源制御手段は、前記起動要因として前記スイッチ手段からのＯＮ信号の検出に基づいて、前記主電源に起動信号を送出して該主電源を起動し、
前記中央制御手段は前記装置全体の動作を制御することを特徴とする請求項１乃至３のいずれかに記載のファクシミリ装置。
【請求項５】
主電源停止時、前記主電源制御手段は、前記起動要因として回線からの呼出信号の検出に基づいて、前記主電源に起動信号を送出して該主電源を起動し、
前記中央制御手段は前記装置全体の動作を制御することを特徴とする請求項１または４記載のファクシミリ装置。
【請求項６】
前記主電源制御手段は前記二次電池の電圧を検出する電圧検出手段を備え、
前記割り込み要求に応じて検出された前記二次電池の電圧が所定のしきい値以下であるとき、前記主電源が前記主電源制御手段および前記二次電池に電力を供給する待機充電状態に移行することを特徴とする請求項１乃至５のいずれかに記載のファクシミリ装置。
【請求項７】
前記待機充電状態で前記二次電池の電圧が所定のしきい値以上になったとき、前記主電源の動作を停止し、前記主電源制御手段は、プログラムの実行を停止したスリープモードに移行し、前記タイマ割込手段からの割り込み要求に応じて前記スリープモードから稼動状態に移行し、前記主電源の起動要因を検出する処理を行う状態に移行することを特徴とする請求項６記載のファクシミリ装置。
【請求項８】
前記待機時、前記割り込み要求に応じて監視した結果、前記二次電池以外から所定時間電力が供給されない場合、前記主電源制御手段は前記起動信号を発生して前記主電源を起動し、前記待機充電状態に移行することを特徴とする請求項６または７記載のファクシミリ装置。
【請求項９】
前記待機充電状態のままで前記主電源から所定時間電力が供給され続けたとき、前記主電源の動作を停止し、前記主電源制御手段は、プログラムの実行を停止したスリープモードに移行し、前記タイマ割込手段からの割り込み要求に応じて前記スリープモードから稼動状態に移行し、前記主電源の起動要因を検出する処理を行う状態に移行することを特徴とする請求項１乃至８のいずれかに記載のファクシミリ装置。
【請求項１０】
前記主電源制御手段は前記中央制御手段からの命令信号により前記主電源を強制的に停止可能であることを特徴とする請求項１または９記載のファクシミリ装置。
【請求項１１】
前記主電源制御手段は前記主電源、前記太陽電池、前記二次電池の優先順位で電力供給を行うことを特徴とする請求項２記載のファクシミリ装置。
【請求項１２】
前記太陽電池が供給する電力のうちの余った電力で前記二次電池を充電することを特徴とする請求項２または１１記載のファクシミリ装置。
【請求項１３】
前記スイッチ手段は、原稿検出スイッチ、動作開始スイッチ、またはハンドセットのオフフック、オンフックを検出するスイッチを含むことを特徴とする請求項４記載のファクシミリ装置。
【請求項１４】
前記主電源は、前記主電源制御手段から停止信号を受けると動作を停止することを特徴とする請求項１乃至１３のいずれかに記載のファクシミリ装置。
【請求項１５】
前記主電源制御手段は、外部のスイッチ手段からの信号にしたがって前記停止信号を出力することを特徴とする請求項１４記載のファクシミリ装置。
【請求項１６】
前記主電源制御手段は、前記割り込み要求に応じて、前記主電源の複数の起動要因の検出を行うことを特徴とする請求項１または１５記載のファクシミリ装置。
【請求項１７】
低消費電力で待機する状態および動作状態を有するファクシミリ装置において、
前記低消費電力で待機する状態では、プログラムの実行を停止するスリープモードを有するマイクロコンピュータと、
前記マイクロコンピュータに対して周期的に割り込み要求を行うタイマ割込手段とを備え、
前記マイクロコンピュータは、前記タイマ割込手段からの割り込み要求に応じて、前記スリープモードから稼動状態に移行し、前記ファクシミリ装置を前記動作状態にする要因を検出する処理を行うとともに、前記ファクシミリ装置を前記動作状態にする要因が検出されない場合、前記スリープモードに復帰することを特徴とするファクシミリ装置。
【請求項１８】
前記マイクロコンピュータは、前記割り込み要求に応じて、前記ファクシミリ装置を前記動作状態にする複数の要因の検出を行うことを特徴とする請求項１７記載のファクシミリ装置。
【請求項１９】
スイッチ手段を備え、
前記マイクロコンピュータは、前記ファクシミリ装置を前記動作状態にする要因として前記スイッチ手段からのＯＮ信号の検出に基づいて、前記ファクシミリ装置を前記動作状態にすることを特徴とする請求項１７または１８記載のファクシミリ装置。
【請求項２０】
前記マイクロコンピュータは、前記ファクシミリ装置を前記動作状態にする要因として回線からの呼出信号の検出に基づいて、前記ファクシミリ装置を前記動作状態にすることを特徴とする請求項１７乃至１９のいずれかに記載のファクシミリ装置。
【請求項２１】
前記ファクシミリ装置は装置全体を制御する中央制御手段を有し、
前記マイクロコンピュータは、前記中央制御手段からの命令信号に基づいて、前記主電源制御手段を前記スリープモードに移行させることを特徴とする請求項１７乃至２０のいずれかに記載のファクシミリ装置。
【請求項２２】
前記スイッチ手段は、原稿検出スイッチ、動作開始スイッチ、またはハンドセットのオフフック、オンフックを検出するスイッチを含むことを特徴とする請求項１９記載のファクシミリ装置。
【発明の詳細な説明】
【０００１】
【発明の属する技術分野】
本発明は、自動受信機能を有するファクシミリ装置に関する。
【０００２】
【従来の技術】
従来、ファクシミリ装置などのスタンバイ状態を持つ装置では、その電源にスイッチング電源が一般に用いられており、スタンバイ時あるいは動作中常に電源は立ち上がっている。
【０００３】
こうした装置では、主電源の一次側を電話回線からの呼出信号などにより直接制御することも行われており、省電力化が図られている。また、主電源とは別にスタンバイ時用のサブ電源を別に持つ装置もあり、このタイプのものはスタンバイ時にサブ電源のみ立ち上がっており、動作中のみ主電源が立ち上がるように構成されていて、省電力化が図られている。
【０００４】
さらに、スタンバイ時の省力化を目的としたシステムで、主電源（スイッチング電源）の起動、停止を主電源制御部が制御し、この主電源制御部への電力供給をスタンバイ時に二次電池が行い動作時に主電源が行う構成のものも提案されている（特願平５−１０１１０８）。このシステムでは、スタンバイ時に主電源は停止しており、主電源制御部のみ動作（スタンバイ）し、動作時に主電源制御部からの制御信号が主電源に与えられている間、主電源が立ち上がる。これにより、より一層の省電力化が図られている。
【０００５】
また、従来のファクシミリ装置でスタンバイ中に時計表示を行うものでは、常に中央制御部が動作しており、デジタル時計表示部のコロン部分を０．５秒毎に点滅させている（米国特許公報ＵＳＰ３，８５５，７８３）。この場合、装置本体の制御を行う中央制御部が動作モードでリアルタイムクロックＩＣのデータを読み込み、このデータに基づいて液晶表示器上に時計表示を行う。
【０００６】
この装置の中央制御部にはマイクロコンピュータなどが使用され、この種のマイクロコンピュータは動作モードおよび停止待機モード（以下、スリープモードという）を有する。動作モードは高速でプログラムを実行処理していくモードである。これに対し、スリープモードはプログラムの実行処理を停止したまま待機し、割り込み処理だけを受け付けるモードであり、動作モードに比べその消費電力は数十分の１であり、極めて低い消費電力で待機することができる。
【０００７】
【発明が解決しようとする課題】
しかしながら、上記従来のファクシミリ装置では以下に掲げる問題があった。すなわち、スタンバイ時に主電源の起動要因を複数監視しており、これら複数の起動要因の監視のために少なくとも同数分のタイマその他の割り込み手段が必要なので、主電源制御部の構成が複雑になってしまい、コストアップに繋がってしまう。
【０００８】
そこで、本発明は、スタンバイ時の消費電力を抑えつつ、簡単な構成で主電源の起動要因を監視できるファクシミリ装置を提供することを目的とする。
【０００９】
【課題を解決するための手段】
上記目的を達成するために、本発明の請求項１に係るファクシミリ装置は、装置本体の各部に電力を供給する主電源と、該主電源から電力が供給され、装置全体の動作を制御する中央制御手段と、プログラムの実行を停止するスリープモードを有し、前記主電源の動作を制御する主電源制御手段と、該主電源制御手段に対して割り込み要求を行うタイマ割込手段と、前記主電源によって充電され、前記主電源制御手段に電力を供給する二次電池とを備え、動作時、前記主電源制御手段によって制御される前記主電源が起動し、前記中央制御手段によって前記装置全体の動作が制御され、かつ前記二次電池が充電され、主電源停止時、前記主電源の代わりに前記二次電池によって電力が供給される主電源制御手段は、プログラムの実行を停止したスリープモードであり、前記タイマ割込手段からの割り込み要求に応じて前記スリープモードから稼動状態に移行し、前記主電源の起動要因を検出する処理を行うことを特徴とする。
【００１０】
請求項２に係るファクシミリ装置は、装置本体の各部に電力を供給する主電源および太陽電池と、該主電源または該太陽電池から電力が供給され、装置全体の動作を制御する中央制御手段と、プログラムの実行を停止するスリープモードを有し、前記主電源の動作を制御する主電源制御手段と、該主電源制御手段に対して割り込み要求を行うタイマ割込手段と、前記主電源または前記太陽電池によって充電され、前記主電源制御手段に電力を供給する二次電池とを備え、動作時、前記主電源制御手段によって制御される前記主電源が起動し、前記中央制御手段によって前記装置全体の動作が制御され、かつ前記二次電池が充電され、主電源停止時、前記主電源の代わりに前記太陽電池または前記二次電池によって電力が供給される主電源制御手段は、プログラムの実行を停止したスリープモードであり、前記タイマ割込手段からの割り込み要求に応じて前記スリープモードから稼動状態に移行し、前記主電源の起動要因を検出する処理を行うことを特徴とする。
【００１１】
請求項３に係るファクシミリ装置は、請求項１または２に係るファクシミリ装置において、主電源制御手段は、前記タイマ割込手段からの割り込み要求に応じて前記スリープモードから稼動状態に移行し、前記主電源の起動要因を検出する処理を行うとともに、前記主電源の起動要因が検出されると、前記主電源を起動する一方、前記主電源の起動要因が検出されないと、前記スリープモードに復帰することを特徴とする。
【００１２】
請求項４に係るファクシミリ装置は、請求項１乃至３のいずれかに記載のファクシミリ装置において、スイッチ手段を備え、主電源停止時、前記主電源制御手段は、前記起動要因として前記スイッチ手段からのＯＮ信号の検出に基づいて、前記主電源に起動信号を送出して該主電源を起動し、前記中央制御手段は前記装置全体の動作を制御することを特徴とする。
【００１３】
請求項５に係るファクシミリ装置は、請求項１または４に係るファクシミリ装置において、主電源停止時、前記主電源制御手段は、前記起動要因として回線からの呼出信号の検出に基づいて、前記主電源に起動信号を送出して該主電源を起動し、前記中央制御手段は前記装置全体の動作を制御することを特徴とする。
【００１４】
請求項６に係るファクシミリ装置は、請求項１乃至５のいずれかに係るファクシミリ装置において、前記主電源制御手段は前記二次電池の電圧を検出する電圧検出手段を備え、前記割り込み要求に応じて検出された前記二次電池の電圧が所定のしきい値以下であるとき、前記主電源が前記主電源制御手段および前記二次電池に電力を供給する待機充電状態に移行することを特徴とする。
【００１５】
請求項７に係るファクシミリ装置は、請求項６に係るファクシミリ装置において、前記待機充電状態で前記二次電池の電圧が所定のしきい値以上になったとき、前記主電源の動作を停止し、前記主電源制御手段は、プログラムの実行を停止したスリープモードに移行し、前記タイマ割込手段からの割り込み要求に応じて前記スリープモードから稼動状態に移行し、前記主電源の起動要因を検出する処理を行う状態に移行することを特徴とする。
【００１６】
請求項８に係るファクシミリ装置は、請求項６または７に係るファクシミリ装置において、前記待機時、前記割り込み要求に応じて監視した結果、前記二次電池以外から所定時間電力が供給されない場合、前記主電源制御手段は前記起動信号を発生して前記主電源を起動し、前記待機充電状態に移行することを特徴とする。
【００１７】
請求項９に係るファクシミリ装置は、請求項１乃至８のいずれかに係るファクシミリ装置において、前記待機充電状態のままで前記主電源から所定時間電力が供給され続けたとき、前記主電源の動作を停止し、前記主電源制御手段は、プログラムの実行を停止したスリープモードに移行し、前記タイマ割込手段からの割り込み要求に応じて前記スリープモードから稼動状態に移行し、前記主電源の起動要因を検出する処理を行う状態に移行することを特徴とする。
【００１８】
請求項１０に係るファクシミリ装置は、請求項１または９に係るファクシミリ装置において、前記主電源制御手段は前記中央制御手段からの命令信号により前記主電源を強制的に停止可能であることを特徴とする。
【００１９】
請求項１１に係るファクシミリ装置は、請求項２に係るファクシミリ装置において、前記主電源制御手段は前記主電源、前記太陽電池、前記二次電池の優先順位で電力供給を行うことを特徴とする。
【００２０】
請求項１２に係るファクシミリ装置は、請求項２または１１に係るファクシミリ装置において、前記太陽電池が供給する電力のうちの余った電力で前記二次電池を充電することを特徴とする。
【００２１】
請求項１３に係るファクシミリ装置は、請求項４に係るファクシミリ装置において、前記スイッチ手段は、原稿検出スイッチ、動作開始スイッチ、またはハンドセットのオフフック、オンフックを検出するスイッチを含むことを特徴とする。
【００２２】
請求項１４に係るファクシミリ装置は、請求項１乃至１３のいずれかに係るファクシミリ装置において、前記主電源は、前記主電源制御手段から停止信号を受けると動作を停止することを特徴とする。
【００２３】
請求項１５に係るファクシミリ装置は、請求項１４に係るファクシミリ装置において、前記主電源制御手段は、外部のスイッチ手段からの信号にしたがって前記停止信号を出力することを特徴とする。
【００２４】
請求項１６に係るファクシミリ装置は、請求項１または１５に係るファクシミリ装置ににおいて、前記主電源制御手段は、前記割り込み要求に応じて、前記主電源の複数の起動要因の検出を行うことを特徴とする。
【００２５】
請求項１７に係るファクシミリ装置は、低消費電力で待機する状態および動作状態を有するファクシミリ装置において、前記低消費電力で待機する状態では、プログラムの実行を停止するスリープモードを有するマイクロコンピュータと、前記マイクロコンピュータに対して周期的に割り込み要求を行うタイマ割込手段とを備え、前記マイクロコンピュータは、前記タイマ割込手段からの割り込み要求に応じて、前記スリープモードから稼動状態に移行し、前記ファクシミリ装置を前記動作状態にする要因を検出する処理を行うとともに、前記ファクシミリ装置を前記動作状態にする要因が検出されない場合、前記スリープモードに復帰することを特徴とする。
【００２６】
請求項１８に係るファクシミリ装置は、請求項１７に係るファクシミリ装置において、前記マイクロコンピュータは、前記割り込み要求に応じて、前記ファクシミリ装置を前記動作状態にする複数の要因の検出を行うことを特徴とする。
【００２７】
請求項１９に係るファクシミリ装置は、請求項１７または１８に係るファクシミリ装置において、スイッチ手段を備え、前記マイクロコンピュータは、前記ファクシミリ装置を前記動作状態にする要因として前記スイッチ手段からのＯＮ信号の検出に基づいて、前記ファクシミリ装置を前記動作状態にすることを特徴とする。
【００２８】
請求項２０に係るファクシミリ装置は、請求項１７乃至１９のいずれかに係るファクシミリ装置において、前記マイクロコンピュータは、前記ファクシミリ装置を前記動作状態にする要因として回線からの呼出信号の検出に基づいて、前記ファクシミリ装置を前記動作状態にすることを特徴とする。
【００２９】
請求項２１に係るファクシミリ装置は、請求項１７乃至２０のいずれかに係るファクシミリ装置において、前記ファクシミリ装置は装置全体を制御する中央制御手段を有し、前記マイクロコンピュータは、前記中央制御手段からの命令信号に基づいて、前記主電源制御手段を前記スリープモードに移行させることを特徴とする。
【００３０】
請求項２２に係るファクシミリ装置は、請求項１９に係るファクシミリ装置において、前記スイッチ手段は、原稿検出スイッチ、動作開始スイッチ、またはハンドセットのオフフック、オンフックを検出するスイッチを含むことを特徴とする。
【００３１】
【発明の実施の形態】
本発明のファクシミリ装置の実施の形態について説明する。図１は実施の形態におけるファクシミリ装置の構成を示すブロック図である。図において、１はファクシミリ装置である。２はマイクロプロセッサなどから構成されるＣＰＵであり、ＲＯＭ３に記憶されているプログラムにしたがってＲＡＭ４、不揮発性ＲＡＭ５、キャラクタジェネレータ（ＣＧ）６、読取り部７、記録部８、モデム部９、網制御ユニット（ＮＣＵ）１０、操作部１３、表示部１４を制御する。
【００３２】
ＲＡＭ４は読取り部７によって読み取られた２値化画像データあるいは記録部８に記録される２値化画像データを格納し、モデム部９によって変調された信号をＮＣＵ１０を介して電話回線１１に出力される２値化画像データを格納する。また、ＲＡＭ４は電話回線１１から入力されたアナログ波形信号をＮＣＵ１０およびモデム部９を介して復調し、その復調した２値化データを格納する。
【００３３】
不揮発性ＲＡＭ５はファクシミリ装置１の電源が遮断された状態であっても、保存しておくべきデータ（例えば、短縮ダイヤル番号など）を確実に格納する。キャラクタジェネレータ６はＪＩＳコード、ＡＳＣＩＩコードなどのキャラクタを格納するＲＯＭであり、マイクロプロセッサ２の制御に基づき必要に応じて２バイトのデータで所定コードに対応するキャラクタデータを取り出す。
【００３４】
読取り部７はＤＭＡコントローラ、画像処理ＩＣ、イメージセンサ、ＣＭＯＳロジックＩＣなどから構成され、ＣＰＵ２の制御に基づいてコンタクトセンサ（ＣＳ）を利用して読み取ったデータを２値化し、その２値化データを順次ＲＡＭ４に送る。
【００３５】
尚、読取り部７に対する原稿のセット状態は原稿の搬送路に設けられ操作部１３に含まれる機械的な原稿センサにより検出できるようにされており、原稿検出信号は主電源制御部１５に入力される。ここで、原稿センサに発光素子を利用したフォトセンサを用いずに、機械的な原稿センサ（機械式スイッチ）を用いるのは、原稿挿入待機時に電力を消費しないためである。
【００３６】
記録部８はＤＭＡコントローラ、インクジェット記録装置、ＣＭＯＳロジックＩＣなどから構成され、ＣＰＵ２の制御によってＲＡＭ４に格納されている記録データを取り出し、ハードコピーとして出力する。
【００３７】
モデム部９はＧ３、Ｇ２モデムとこれらのモデムに接続されたクロック発生回路などから構成され、ＣＰＵ２の制御に基づいてＲＡＭ４に格納されている送信データを変調し、ＮＣＵ１０を介して電話回線１１に出力する。また、モデム部９は電話回線１１のアナログ信号をＮＣＵ１０を介して導き、その信号を変調して２値化データをＲＡＭ４に格納する。
【００３８】
ＮＣＵ１０はＣＰＵ２の制御によりモデム９あるいは電話機１２のいずれかに切り替えて電話回線１１を接続する。また、ＮＣＵ１０は呼出信号を検出する手段を有し、呼出信号が検出されたときは着信信号を主電源制御部１５に送出する。尚、電話機１２はファクシミリ装置１と一体に設けられたものである。具体的には電話機１２はハンドセット、スピーチネットワーク、ダイヤラ、リンガー、テンキー、ワンタッチキーなどから構成される。
【００３９】
操作部１３は画像送信、受信などをスタートさせるキー、送受信時におけるファイン、標準、自動受信などの操作モードを指定するモード選択キー、ダイヤリング用のテンキーないしワンタッチキーなどから構成される。これらのキーが押下されるとＯＮ信号が主電源制御部１５に入力される。
【００４０】
表示部１４は、後述する時計表示用７セグメント、各種モードを表示する絵文字ＬＣＤ、５×７ドットで１６桁×１行の表示を行うことができるドットマトリクスＬＣＤを組み合わせたＬＣＤモジュール、ＬＥＤなどから構成され、絵文字ＬＣＤとドットマトリクスＬＣＤとはそれぞれ独立している。
【００４１】
主電源制御部１５は装置全体の各部への通電を制御するもので、ワンチップマイクロコンピュータ、コンデンサタイプの二次電池などから構成され、この二次電池から供給される電力だけで駆動可能である。
【００４２】
主電源制御部１５はＮＣＵ１０からの着信信号、操作部１３からの原稿検出信号、操作部１３からのＯＮ信号が入力されると、起動信号を主電源１６に送出する。主電源１６はＡＣ入力のスイッチング電源であり、外部からスイッチングのＯＮ、ＯＦＦ制御が可能であり、主電源制御部１５からの起動信号、停止信号によってそれぞれ電力を供給したり、電力を停止したりする。これにより、効率のよい電力供給が行え、かつ外部からのオンオフが簡単に行えるので、容易に実施できる。
【００４３】
図２は主電源制御部１５の構成を示すブロック図である。図において、ＶｃｃはＤＣ−ＤＣコンバータ２２を介して３系統の電力供給源と接続されている。その１つは主電源１６からの＋５Ｖであり、他の１つはコンデンサタイプの二次電池１９であり、残りの１つは太陽電池２３である。これら３つの電源の優先度は各々の電圧と、二次電池１９の充電状態、逆流防止用ショットキーバリアダイオード２０、逆流防止用ダイオード２９により決定される。
【００４４】
主電源１６からは逆流防止用ショットキーバリアダイオード２０により４．８Ｖ、太陽電池２３からは逆流防止用ダイオード２９により４．６Ｖ、二次電池１９からはその充電状態に応じた電圧が出力される。また、逆流防止用ショットキーバリアダイオード２０、逆流防止用ダイオード２９の向きにより主電源１６が立ち上がっているときはその電力供給が最優位となり、抵抗２１を通して二次電池１９を充電すると共に、ＤＣ−ＤＣコンバータ２２を介してＶｃｃに電力を供給する。
【００４５】
このとき、太陽電池２３は低電位であり、太陽電池２３から電流は流れ込まない。主電源１６が動作しておらず、太陽電池２３が電力を供給している場合、すなわち主電源１６は動作していないが、光エネルギーが供給されている場合、二次電池１９の方が太陽電池２３より電位が高ければ二次電池１９からＤＣ−ＤＣコンバータ２２を介してＶｃｃに電力が供給され、太陽電池２３から電力が供給されない。二次電池１９の方が太陽電池２３より電位が低いときは太陽電池２３からＤＣ−ＤＣコンバータ２２を介してＶｃｃに電力が供給され、同時に二次電池１９は抵抗２１を通して充電される。
【００４６】
主電源１６が動作しておらず、太陽電池２３も電力を供給していない場合、二次電池１９がＤＣ−ＤＣコンバータ２２を介してＶｃｃに電力を供給する。このように、主電源制御部１５への電力供給を第１に主電源１６、第２に太陽電池２３、第３に二次電池１９と優先順位を持たせることにより最も効率の良い理想的な電力供給を実現できる。
【００４７】
図２において、１７はワンチップマイクロコンピュータ（以下、マイコンという）であり、低消費電力で動作可能であり（動作モード）、時計用の１秒タイマを内蔵している。また、マイコン１７はプログラムの実行を停止しておき、割り込みだけを受け付けるモード（スリープモード）を有し、消費電力の極めて少ない状態で待機できる。
【００４８】
動作モードとスリープモードの消費電力を比較すると、３０：１である。スリープモードの詳細については後述する。マイコン１７はシリアルインターフェースｓＩ／Ｏを通じてＣＰＵ２とデータのやり取りを行うことができる。太陽電池２３が電力を供給しているか否かは、その電圧を電圧検出回路２７で検出し、検出された電圧が２．５Ｖより大きい場合に電圧検出回路２７の出力ＯＵＴがＨレベルとなり、２．５Ｖ以下の場合にＬレベルとなる。
【００４９】
電圧検出回路２７の出力ＯＵＴはマイコン１７の端子ＩＮ８に入力される。二次電池１９の放電状態の電圧は電圧検出回路２４によって検出され、その電圧が１．２Ｖより大きい場合に電圧検出回路２４の出力ＯＵＴがＨレベルとなり、１．２Ｖ以下の場合にＬレベルとなる。電圧検出回路２４の出力ＯＵＴはマイコン１７の端子ＩＮ９に入力される。二次電池１９の満充電状態の電圧は電圧検出回路２８によって検出され、その電圧が４．８Ｖより大きいときは電圧検出回路２８の出力ＯＵＴがＨレベルとなり、４．８Ｖ以下のときは電圧検出回路２８の出力ＯＵＴがＬレベルとなる。電圧検出回路２８の出力ＯＵＴはマイコン１７のＩＮ１３に入力される。
【００５０】
２２はＤＣ−ＤＣコンバータであり、入力電圧が出力電圧よりも高いときはシリーズレギュレータとして、低いときは昇圧型スイッチングレギュレータおよびシリーズレギュレータとして動作する。また、出力電圧を５Ｖもしくは３Ｖに選択することができ、入力ポートＳＥＬがＨレベルとき５Ｖ、Ｌレベルのとき３Ｖがそれぞれ出力される。ＤＣ−ＤＣコンバータ２２はその入力Ｖｉｎが０．９Ｖ以上のとき、出力Ｖｏｕｔから５Ｖまたは３Ｖが常に出力される。
【００５１】
１８はマイコン１７をリセットするための電圧検出回路であり、その出力ＲＥはマイコン１７のＲＥＳＥＴに入力される。ＤＣ−ＤＣコンバータ２２の出力Ｖｏｕｔの電圧が２．７Ｖ以下のとき電圧検出回路１８のＲＥがＬレベルとなり、２．７Ｖより大きくなるとマイコン１７のリセットに要する時間だけ遅延させてＬレベルを維持し、マイコン１７がリセットされるとＨレベルになる。
【００５２】
２５は絵文字ＬＣＤであり、マイコン１７によって制御され、主電源１６が停止している場合もほとんど電力を消費することなく表示を行う。２６は操作部１３内の各種キー（原稿検出スイッチを含む）のスキャンを行うキーマトリクス回路であり、マイコン１７のソフトウェア制御によって押下されたキーを識別することができる。３０は原稿の搬送路に設けられた機械式の原稿検出スイッチ、例えばリードスイッチである。ここで、原稿センサに発光素子を利用したフォトセンサを用いずに機械的な原稿検出スイッチを用いるのは原稿挿入待機時に電力を消費しないためである。これにより二次電池１９の消耗を防ぐことができる。３１はオフフックまたはオンフックを行うフッキングスイッチである。
【００５３】
図３は主電源１６の構成を示す回路図である。図において、ＡＣ入力はフィルタ回路４０、整流回路４１、平滑回路４２を経て、１次、２次の絶縁トランス３９に供給され、ＦＥＴ４３によりスイッチングされる。ここで３６は１次側巻線、３８は２次側巻線である。４４は絶縁トランス３９の１次側の発振制御を行うＩＣであり、その電源Ｖｄｄは絶縁トランス３９に巻き込まれた補助巻線３７によって与えられる。絶縁トランス３９の２次側巻線３８から整流・平滑回路５２、５３を介して＋２４Ｖ、＋５Ｖの電源電圧を各部に供給する。
【００５４】
５４は電流検出回路、５５は過電圧検出回路であり、これらの出力をそれぞれフォトカプラ５６、５７を通してＩＣ４４にフィードバックする。ＩＣ４４は２次側の電流によりＰＷＭ制御を行っており、過電圧が検出された場合、全系をシャットダウンするようになっている。
【００５５】
また、ＰＳ信号はフォトカプラ４５を介してＩＣ４４に入力され、ＰＳ信号がＬレベルのときにトランジスタ４６がＯＮとなりフォトカプラ４５に電流が流れる。フォトカプラ４５は電流電圧変換を行い、ＩＣ４４の入力ポートＩＮ１がＬレベルとなり、これに応じてＩＣ４４の出力ポートＯＵＴ１が発振し、ＦＥＴ４３を介して１次側が発振して２次側に電力を供給し、主電源１６が立ち上がって動作する。
【００５６】
ＰＳ信号がＨレベルのときはトランジスタ４６がＯＦＦとなり、ＩＣ４４のＩＮ１はＨレベルとなり、これに応じてＩＣ４４の出力ポートＯＵＴ１がＬレベルとなってＦＥＴ４３がＯＦＦとなり、１次側の発振を停止させ、主電源１６が動作を停止する。例えば、スタンバイ時にフッキングスイッチ３１が押下された場合、キーマトリクス回路２６からＯＮ信号が出力され、マイコン１７がフッキングスイッチ３１の押下を認識して出力ＯＵＴ５をＬレベル、即ちＰＳ信号をＬレベルとして主電源１６を起動させ、シリアルインターフェースｓＩ／Ｏを通じてＣＰＵ２にその情報を送り、ＣＰＵ２がＮＣＵ１０を制御してファクシミリ装置１がオフフック状態になる。
【００５７】
抵抗４７、４８、４９、５０は電流制限用の抵抗である。５１、６１は分圧抵抗である。フォトカップラ４５は１次側、２次側の絶縁も行う。
【００５８】
図４はＣＰＵ２の周辺およびＮＣＵ１０の構成を示す回路図である。図において、６０はＣＰＵ２をリセットするための電圧検出回路であり、その出力ＲＥはＣＰＵ２のＲＥＳＥＴ端子に入力される。主電源１６からの＋５Ｖの電圧が４．５Ｖ以下のとき、電圧検出回路６０の出力ＲＥはＬレベルであり、４．５Ｖより大きくなると、ＣＰＵ２のリセットに要する時間だけ遅延してＬレベルを維持し、ＣＰＵ２がリセットされてその後に出力ＲＥはＨレベルとなる。また、出力ＲＥはマイコン１７のＩＮ１０にも入力されてモニタされる。
【００５９】
３２は呼出信号（ＣＩ信号）を検出するためのフォトカプラであり、フォトカプラ３２は電話回線１１を通じて呼出信号を受けると、着信信号（Ｌレベル）がマイコン１７のＩＮ１２に入力されるように動作する。スタンバイ時に呼出信号が検出されると、着信信号（Ｌレベル）がマイコン１７に入力され、マイコン１７がそれを認識してＯＵＴ５をＬレベル、すなわちＰＳ信号をＬレベルとして主電源１６を起動させる。
【００６０】
主電源１６の起動要因の情報はシリアルインターフェースｓＩ／Ｏを通じてＣＰＵ２に送られ、ＣＰＵ２はその情報に応じて各ブロックを制御する。３３は電話機１２のオフフックを検出するためのフォトカプラであり、フォトカプラ３３は電話機１２がオフフックされると、Ｌレベルがマイコン１７のＩＮ１１に入力されるように動作をする。スタンバイ時に電話機１２がオフフックされると、Ｌレベルがマイコン１７に入力され、マイコン１７がそれを認識して出力ＯＵＴ５をＬレベル、すなわちＰＳ信号をＬレベルとして主電源１６を起動させる。
【００６１】
この主電源１６の起動要因の情報はシリアルインターフェースｓＩ／Ｏを通じてＣＰＵ２に送られ、ＣＰＵ２はその情報に応じて各ブロックを制御する。３４、３５はモジュラージャック、５８、５９は電流制限用の抵抗である。
【００６２】
図５および図６は絵文字ＬＣＤ２５の７セグメント時計表示部を示す説明図である。どちらの図も１０時２０分を表しているが、それぞれの時刻の「秒」部分が互いに異なっている。すなわち、図５では、「時」表示部６３と「分」表示部６４を分割するコロン「：」６２が点灯しているが、図６ではコロン「：」６２が消灯している。このように、コロン「：」６２を点灯または消灯することで時計が動作していることを、少なくとも１秒毎に認識することができるので、これにより装置本体が動作していることを少なくとも１秒毎に認識することができる。
【００６３】
上記構成を有するファクシミリ装置の動作について説明する。図７はファクシミリ装置１のスタンバイ状態における処理手順を示すフローチャートである。商用交流ＡＣの入力が開始されると（ステップＳ１）、まず、主電源１６が立ち上がり（ステップＳ２）、マイコン１７をイニシャライズする（ステップＳ３）と共に、ＣＰＵ２をイニシャライズし（ステップＳ４）、同時に２次電池１９の充電を開始する（ステップＳ５）。マイコン１７のイニシャライズが完了した時点でファクシミリ装置１がスタンバイ状態となる。このスタンバイ状態が続いている状態で二次電池１９を充電し続ける。
【００６４】
充電が完了したか否かを判別し（ステップＳ６）、充電が完了した場合、すなわち電圧検出回路２８の出力がＨレベルとなった場合、マイコン１７のＩＮ１３がＨレベルとなるので、それにしたがってマイコン１７が出力ＯＵＴ５、すなわちＰＳ信号をＨレベルにして主電源１６の動作を停止させ（ステップＳ７）、それに伴い電圧検出回路６０の出力ＲＥがＬレベルとなってＣＰＵ２がリセットされる（ステップＳ８）。そして、二次電池１９と太陽電池２３による電力供給が開始される（ステップＳ９）。一方、マイコン１７に内蔵されているタイマで充電時間が１時間経過した場合、１時間経過を検出すると共に、マイコン１７が出力ＯＵＴ５、すなわちＰＳ信号をＨレベルにして主電源１６の動作を停止させ（ステップＳ７）、それに伴い電圧検出回路６０出力ＲＥがＬレベルとなってＣＰＵ２がリセットされる（ステップＳ８）。
【００６５】
いずれの場合も、このとき太陽電池２３が供給する電力のうちの余った電力で二次電池１９の充電を行う（ステップＳ１０）。この後、スリープモードに移行する（ステップＳ１１）。
【００６６】
スリープモードでは、プログラムの実行が停止された状態のまま、タイマ割り込みだけが受け付けられる。また、このスリープモードでは、絵文字ＬＣＤ２５の表示状態を保つことができる。したがって、絵文字ＬＣＤ２５の表示を行ったまま、極めて少ない消費電力で待機することができる。
【００６７】
図８はスリープモードにおいて時計用の１秒タイマ割り込みが発生した場合の処理手順を示すフローチャートである。図７のスリープモードにおいて、時計用の１秒タイマ割り込みが発生した場合、時計カウンタの時刻を１秒進める（ステップＳ２１）。そして、「時」表示部６３の表示を制御し（ステップＳ２２）、「分」表示部６４の表示を制御し（ステップＳ２３）、コロン「：」６２の表示を制御する（ステップＳ２４）。
【００６８】
さらに、後述する二次電池１９の放電検出を行い（ステップＳ２５）、放電が検出されなかった場合、後述するキーおよび原稿検出を行い（ステップＳ２６）、キーまたは原稿が検出されなかった場合、後述するハンドセットのオフフック検出を行い（ステップＳ２７）、オフフックが検出されなかった場合、後述する呼出信号（ＣＩ信号）の検出を行い（ステップＳ２８）、呼出信号が検出されなかった場合、スリープモード（ステップＳ１１）に戻る。
【００６９】
図９は図８のステップＳ２４におけるコロン「：」６２の表示制御の処理手順を示すフローチャートである。まず、時計カウンタの秒が０秒であるか否かを判別し（ステップＳ３１）、時計カウンタの秒が０秒であるとき、コロン「：」６２を点灯し（ステップＳ３２）、リターンする。時計カウンタの秒が０秒でないとき、コロン「：」６２が点灯しているか否かを判別し（ステップＳ３３）、コロン「：」６２が点灯しているときコロン「：」６２を消灯して（ステップＳ３４）リターンする。一方、ステップＳ３３でコロン「：」６２が消灯しているとき、コロン「：」６２を点灯し（ステップＳ３２）、リターンする。
【００７０】
このように、コロン「：」６２を１秒毎に点灯または消灯することで、時計が動作していることを少なくとも１秒毎に認識することができ、装置本体が動作していることを少なくとも１秒毎に認識することができる。
【００７１】
コロン「：」６２が１秒毎に点灯または消灯するので、視覚的に正確な１秒を計測することができる。０秒のとき、コロン「：」６２が必ず点灯するので、分の切り換わり時期を容易に識別できる。「秒」表示部を特別に設ける必要がないので、表示部を必要最小限に小さくまとめることができる。尚、本実施の形態では、０秒のときに点灯するように設定しているが、消灯するように設定しても構わない。
【００７２】
図１０は二次電池１９の放電検出の動作処理手順を示すフローチャートである。マイコン１７のＩＮ９がＬレベルであるか否かを判別し（ステップＳ４１）、マイコン１７のＩＮ９がＬレベルである場合は、太陽電池２３からの供給電力が減り、その電位が二次電池１９より低電位であり、かつ二次電池１９が放電していき、その電圧が１．２Ｖ以下となっている状態にある。これは二次電池１９の放電が検出された場合であり、マイコン１７が出力ＯＵＴ５をＬレベル、すなわちＰＳ信号をＬレベルとする。これによりトランジスタ４６がＯＮとなるので、フォトカプラ４５がＯＮとなり、ＩＣ４４のＩＮ１がＬレベルとなる。したがって、ＩＣ４４の出力ＯＵＴ１が発振し、ＦＥＴ４３を介して１次側が発振して２次側に電力を供給し、主電源１６が立ち上がる（ステップＳ４２）。
【００７３】
主電源１６が立ち上がると、図７のＣに移行し、電圧検出回路６０によってＣＰＵ２がイニシャライズされ（ステップＳ４）、それと共に二次電池１９の充電が開始される（ステップＳ５）。ファクシミリ装置１のスタンバイ状態が保たれつつ、再び二次電池１９が充電される。このサイクルを繰り返す。
【００７４】
尚、太陽電池２３が供給する電力のうちの余分電力で、二次電池１９を充電するので、電力を無駄なく利用でき、主電源１６が動作していないスタンバイ状態を長く維持することができる。
【００７５】
一方、ステップＳ４１でマイコン１７のＩＮ９がＨレベルの場合、そのままリターンする。
【００７６】
本実施の形態では、二次電池１９の放電検出を電圧検出回路２４によって行っているが、時計用の１秒タイマ割り込みを利用して経過時間で放電検出を行ってもよい。この場合、ステップＳ４１でスタンバイ時に二次電池放電検出ルーチンに入ってきた回数をカウントしていき、この回数がある設定された回数を越えた場合、ステップＳ４２に進むというように構成すればよい。
【００７７】
図１１はキーおよび原稿検出の動作処理手順を示すフローチャートである。原稿検出スイッチ３０がオンされたか、またはフッキングボタン３１が押下されたか否かを判別し（ステップＳ５１、Ｓ５２）、原稿検出スイッチ３０がオンされたか、あるいはフッキングボタン３１が押下された場合、それぞれがＯＮとなり、このＯＮ信号がマイコン１７に入力される。
【００７８】
これにしたがって、マイコン１７は出力ＯＵＴ５をＬレベル、すなわちＰＳ信号をＬレベルとしてフォトカプラ４５をＯＮにする。フォトカプラ４５がＯＮとなると、ＩＣ４４がＦＥＴ４３を介して１次側を発振させ、２次側に電力が供給され、主電源１６が立ち上がる（ステップＳ５３）。
【００７９】
主電源１６が立ち上がると、ＣＰＵ２がイニシャライズされ（ステップＳ５４）、二次電池１９の充電が開始される（ステップＳ５５）。主電源１６が立ち上がっている間は二次電池１９が常に充電されている。
【００８０】
そして、この起動要因に関する情報がシリアルインターフェースｓＩ／Ｏを通じてＣＰＵ２に送られ、その後、ファクシミリ装置１の制御はＣＰＵ２が中心となって行う。この状態で、相手ファクシミリ装置に電話をかけ（ステップＳ５６）、回線が捕捉されると（ステップＳ５７）、通常のファクシミリ送信が行われる（ステップＳ５８）。
【００８１】
送信が終わり（ステップＳ５９）、回線が切断されると（ステップＳ６０）、シリアルインターフェースｓＩ／Ｏを通じてその情報がマイコン１７に送られ、これにしたがって、マイコン１７がＰＳ信号をＨレベルとして主電源１６の動作を停止させる（ステップＳ６１）。
【００８２】
そして、ＣＰＵ２がリセットされ（ステップＳ６２）、主電源１６による二次電池１９の充電が終了し（ステップＳ６３）、図７のＡに戻る。
【００８３】
一方、ステップＳ５１、Ｓ５２で原稿の挿入がなく、かつフッキングボタン３１の押下もない場合には、その他のキーが押下されたか否かを判別し（ステップＳ６４）、その他のキーが押下された場合、操作されたキーに応じた処理が行われる（ステップＳ６５）。原稿の挿入がなく、キーの押下もない場合、そのままリターンする。図１１において、ステップＳ５６〜ステップＳ６０はＣＰＵ２による制御である。
【００８４】
図１２はハンドセットのオフフック検出の動作処理手順を示すフローチャートである。ハンドセットがオフフックされたか否かを判別し（ステップＳ７１）、ハンドセットがオフフックされた場合、フォトカプラ３３がＯＮになり、このＯＮ信号がマイコン１７のＩＮ１１に入力され、これにしたがってマイコン１７が出力ＯＵＴ５をＬレベル、すなわちＰＳ信号をＬレベルとしてフォトカプラ４５をＯＮにする。フォトカプラ４５がＯＮになると、ＩＣ４４がＦＥＴ４３を介して１次側を発振させ、２次側に電力が供給され、主電源１６が立ち上がる（ステップＳ７２）。主電源１６が立ち上がると、ＣＰＵ２がイニシャライズされ（ステップＳ７３）、二次電池１９の充電が開始される（ステップＳ７４）。主電源１６が立ち上がっている間は二次電池１９が常に充電されている。
【００８５】
そして、この起動要因に関する情報がシリアルインターフェースｓＩ／Ｏを通じてその情報がマイコン１７に送られ、その後、ファクシミリ装置１の動作の制御はＣＰＵ２が中心となって行う。この状態で相手ファクシミリ装置に電話をかけ（ステップＳ７５）、回線が捕捉されると（ステップＳ７６）、通常のファクシミリ送信が行える（ステップＳ７７）。
【００８６】
送信が終わり（ステップＳ７８）、回線が切断されると（ステップＳ７９）、シリアルインターフェースｓＩ／Ｏを通じてその情報がマイコン１７に送られ、これにしたがって、マイコン１７がＰＳ信号をＨレベルにして主電源１６の動作を停止させる（ステップＳ８０）。
【００８７】
そして、ＣＰＵ２がリセットされ（ステップＳ８１）、主電源１６による二次電池１９の充電が終了し（ステップＳ８２）、図７のＡに戻る。ステップＳ７１でハンドセットがオンフックされている場合、そのままリターンする。図１２おいて、ステップＳ７５〜ステップＳ７９はＣＰＵ２による制御である。
【００８８】
図１３は図８のステップＳ２８における呼出信号の検出動作の処理手順を示すフローチャートである。呼出信号が検出されたか否かを判別し（ステップＳ９１）、呼出信号が検出された場合、フォトカプラ３２がＯＮし、このＯＮ信号がマイコン１７のＩＮ１２に入力され、これにしたがってマイコン１７が出力ＯＵＴ５をＬレベル、すなわちＰＳ信号をＬレベルにしてフォトカプラ４５をＯＮにする。
【００８９】
フォトカプラ４５がＯＮになると、ＩＣ４４がＦＥＴ４３を介して１次側を発振させ、２次側に電力が供給され、主電源１６が立ち上がる（ステップＳ９２）。主電源１６が立ち上がるとＣＰＵ２がイニシャライズされ（ステップＳ９３）、二次電池１９の充電が開始される（ステップＳ９４）。
【００９０】
主電源１６が立ち上がっている間、二次電池１９が常に充電されている。そして、この起動要因に関する情報がシリアルインターフェースｓＩ／Ｏを通じてＣＰＵ２に送られ、その後、ファクシミリ装置１の制御はＣＰＵ２が中心となって行う。ＮＣＵ１０によって回線が捕捉されると、自動受信でファクシミリ受信が行われる（ステップＳ９６）。
【００９１】
受信が終わり（ステップＳ９７）、回線が切断されると（ステップＳ９８）、シリアルインターフェースｓＩ／Ｏを通じてその情報がマイコン１７に送られ、これにしたがって、マイコン１７がＰＳ信号をＨレベルにして主電源１６の動作を停止させる（ステップＳ９９）。
【００９２】
そして、ＣＰＵ２がリセットされ（ステップＳ１００）、主電源１６による二次電池１９の充電が終了し（ステップＳ１０１）、図７のＡに戻る。呼出信号が検出されない場合、そのままリターンする。図１３において、ステップＳ９５〜ステップＳ８までの処理はＣＰＵ２による制御である。
【００９３】
以上示したように、主電源１６が立ち上がっている間は、同時に二次電池１９の充電が行われる。これにより、二次電池１９の充電のためだけに主電源１６を立ち上げる回数が減り、余分な電力消費を防ぐことができる。
【００９４】
本実施の形態のファクシミリ装置によれば、装置本体の各部への通電を制御する主電源制御部１５と、この主電源制御部１５に電力を供給する主電源１６と、二次電池１９、また、必要に応じて太陽電池２３を設けて各電力供給を制御しているので、スタンバイ時の消費電力をほぼ０Ｗにすることができる。
【００９５】
したがって、自動受信機能のため、終日電力を消費することなく、電力量のロスを小さくでき、放射ノイズの発生を防止できる。また、主電源１６の１次側を複数の手段により直接制御することがないので、安全規格上の制限もなく、容易に実施できる。
【００９６】
スタンバイ状態においては、スリープモードを利用しながら、１秒に１回の極短い時間の間だけマイコン１７が稼働するので、極めて消費電力を少なくできる。したがって、二次電池１９または太陽電池２３からマイコン１７に供給される電力を削減でき、二次電池１９の電力消費を軽減でき、スタンバイ状態を長く維持することができる。これにより、二次電池１９の充電のためだけに主電源１６を立ち上げる回数が減り（図１０のステップＳ４２の動作）、無駄な電力消費をなくすことができる。
【００９７】
時計用の１秒タイマ割り込み処理ルーチン内で、時計表示切替だけでなく、二次電池１９の放電検出、キー検出、原稿検出、ハンドセットのオフフック検出、呼出信号の検出などそれぞれ異なった主電源１６の各起動要因を検出するので、１つのタイマ手段を備えるだけでよく、簡単な構成でコストダウンを図ることができる。
【００９８】
また、スタンバイ状態では、スリープモードを利用しながら、このタイマ割り込みによって１秒に１回の極短い時間だけマイコン１７が稼働するので、極めて低消費電力を実現できる。したがって、二次電池１９または太陽電池２３からマイコン１７に供給される電力を削減でき、二次電池１９の電力消費を軽減でき、スタンバイ状態を長く維持することができる。これにより、二次電池１９の充電のためだけに主電源１６を立ち上げる回数が減り、無駄な電力消費がなくすことができる。また、二次電池１９の劣化も防止できる。
【００９９】
尚、本実施の形態では、タイマ割り込み処理の中で時計の制御と主電源１６の起動要因の検出とを行っているが、この他にも直接、起動要因とは関係ないが、必要な検出事項（例えば、インクカートリッジの装着状態の検出など）を行うようにしてもよい。
【０１００】
このように、コロン「：」６２を１秒毎に点灯または消灯することで、時計が動作していることを少なくとも１秒毎に認識することができるので、これにより装置本体が動作していることを少なくとも１秒毎に認識することができる。０秒の時はコロン「：」６２が必ず点灯するので、分の切り換わり時期を容易に識別できる。また、「秒」表示部を特別に設ける必要がないので、表示部を必要最小限に小さくまとめることができる。
【０１０１】
【発明の効果】
本発明の請求項１に係るファクシミリ装置によれば、待機時の消費電力をほぼ０Ｗにすることができ、自動受信機能のために終日電力を消費することがなくなり、電力量のロス（損失）が大幅に削減できる。また、放射ノイズの発生を防ぐことができ、他の電子機器に悪影響を及ぼさない。さらに、主電源の１次側を複数の手段により直接制御することがないので、安全規格上の制限もなく、容易に実施できる。また、主電源が動作しているときに二次電池を充電するので、二次電池の充電のためだけに主電源を立ち上げる回数が減り、二次電池の劣化を防ぎ、余分な電力消費を抑えることができる。したがって、専用回路を設けることなく、タイマ割り込みによる簡単な構成で、待機時の消費電力を抑えつつ、主電源の起動要因を監視できる。
【０１０２】
請求項２に係るファクシミリ装置によれば、専用回路を設けることなく、タイマ割り込みによる簡単な構成で、待機時の消費電力を抑えつつ、主電源の起動要因を監視できる。また、二次電池の劣化を防ぐことができる。
【０１０３】
請求項３に係るファクシミリ装置によれば、スタンバイ状態では、スリープモードを利用しながら、このタイマ割り込みによって極短い時間だけ主電源制御手段が稼働するので、極めて低消費電力を実現できる。したがって、二次電池または太陽電池から主電源制御手段に供給される電力を削減でき、二次電池の電力消費を軽減でき、スタンバイ状態を長く維持することができる。これにより、二次電池の充電のためだけに主電源を立ち上げる回数が減り、無駄な電力消費がなくすことができる。また、二次電池の劣化も防止できる。
【０１０４】
請求項４に係るファクシミリ装置によれば、オペレーション上も従来と変わることなく、ユーザに扱いやすい装置を提供できる。
【０１０５】
請求項５に係るファクシミリ装置によれば、オペレーション上も従来と変わることなく、ユーザに扱いやすい装置を提供できる。
【０１０６】
請求項６に係るファクシミリ装置によれば、、無駄のない効率的な電力供給を行うことができ、一層の省電力化を図ることができる。
【０１０７】
請求項７に係るファクシミリ装置によれば、、無駄のない効率的な電力供給を行うことができ、一層の省電力化を図ることができる。
【０１０８】
請求項８に係るファクシミリ装置によれば、無駄のない効率的な電力供給を行うことができ、一層の省電力化を図ることができる。
【０１０９】
請求項９に係るファクシミリ装置によれば、前記待機充電状態のままで前記主電源から所定時間電力が供給され続けたとき、前記主電源の動作を停止して前記待機時の状態に移行するので、無駄のない効率的な電力供給を行うことができ、一層の省電力化を図ることができる。
【０１１０】
請求項１０に係るファクシミリ装置によれば、装置の暴走を防止できる。
【０１１１】
請求項１１に係るファクシミリ装置によれば、前記主電源制御手段は前記主電源、前記太陽電池、前記二次電池の優先順位で電力供給を行うので、最も効率の良い理想的な電力供給を実現できる。
【０１１２】
請求項１２に係るファクシミリ装置によれば、前記太陽電池が供給する電力のうちの余った電力で前記二次電池を充電するので、電力を無駄なく利用でき、主電源が動作していない待機状態を長く維持できる。
【０１１３】
請求項１３に係るファクシミリ装置によれば、前記スイッチ手段は、原稿検出スイッチ、動作開始スイッチ、またはハンドセットのオフフック、オンフックを検出するスイッチを含むので、複数の主電源の起動要因の検出を行うことができる。
【０１１４】
請求項１４に係るファクシミリ装置によれば、前記主電源は前記主電源制御手段から停止信号を受けると動作を停止するので、装置の暴走を防止できる。
【０１１５】
請求項１５に係るファクシミリ装置によれば、前記主電源制御手段は外部のスイッチ手段からの信号にしたがって前記停止信号を出力するので、装置の暴走を防ぐことができ、安全性に優れた装置を実現できる。
【０１１６】
請求項１６に係るファクシミリ装置によれば、前記割り込み要求に応じて、前記主電源制御手段は前記主電源の複数の起動要因の検出を行うので、１つのタイマ手段を備えるだけの簡単な構成で実現でき、コストダウンを図ることができる。
【０１１７】
請求項１７に係るファクシミリ装置によれば、スタンバイ状態では、スリープモードを利用しながら、このタイマ割り込みによって、例えば１秒に１回の極短い時間だけマイコンピュータが稼働するので、極めて低消費電力を実現でき、一層の省電力化を図ることができる。
【０１１８】
請求項１８に係るファクシミリ装置によれば、前記割り込み要求に応じて、前記主電源制御手段は前記ファクシミリ装置を動作状態にする要因の検出を行うので、１つのタイマ手段を備えるだけの簡単な構成で実現でき、コストダウンを図ることができる。
【０１１９】
請求項１９に係るファクシミリ装置によれば、オペレーション上も従来と変わることなく、ユーザに扱いやすい装置を提供できる。
【０１２０】
請求項２０に係るファクシミリ装置によれば、オペレーション上も従来と変わることなく、ユーザに扱いやすい装置を提供できる。
【０１２１】
請求項２１に係るファクシミリ装置によれば、中央制御手段からの命令によってスリープモードを利用するので、極めて低消費電力を実現でき、一層の省電力化を図ることができる。
【０１２２】
請求項２２に係るファクシミリ装置によれば、前記スイッチ手段は、原稿検出スイッチ、動作開始スイッチ、またはハンドセットのオフフック、オンフックを検出するスイッチを含むので、複数の前記ファクシミリ装置を動作状態にする要因の検出を行うことができる。
【図面の簡単な説明】
【図１】実施の形態におけるファクシミリ装置の構成を示すブロック図である。
【図２】主電源制御部１５の構成を示すブロック図である。
【図３】主電源１６の構成を示す回路図である。
【図４】ＣＰＵ２の周辺およびＮＣＵ１０の構成を示す回路図である。
【図５】絵文字ＬＣＤ２５の７セグメント時計表示部を示す説明図である。
【図６】絵文字ＬＣＤ２５の７セグメント時計表示部を示す説明図である。
【図７】ファクシミリ装置１のスタンバイ状態における処理手順を示すフローチャートである。
【図８】スリープモードにおいて時計用の１秒タイマ割り込みが発生した場合の処理手順を示すフローチャートである。
【図９】図８のステップＳ２４におけるコロン「：」６２の表示制御の処理手順を示すフローチャートである。
【図１０】二次電池１９の放電検出の動作手順を示すフローチャートである。
【図１１】キーおよび原稿検出の動作処理手順を示すフローチャートである。
【図１２】ハンドセットのオフフック検出の動作処理手順を示すフローチャートである。
【図１３】図８のステップＳ２８における呼出信号の検出動作の処理手順を示すフローチャートである。
【符号の説明】
１  ファクシミリ装置
１５  主電源制御部
１６  主電源
１７  マイコン
１９  二次電池
２３  太陽電池
２５  絵文字ＬＣＤ
【図１】
0003595806.tif 000002
【図２】
0003595806.tif 000003
【図３】
0003595806.tif 000004
【図４】
0003595806.tif 000005
【図５】
0003595806.tif 000006
【図６】
0003595806.tif 000007
【図７】
0003595806.tif 000008
【図８】
0003595806.tif 000009
【図９】
0003595806.tif 000010
【図１０】
0003595806.tif 000011
【図１１】
0003595806.tif 000012
【図１２】
0003595806.tif 000013
【図１３】
0003595806.tif 000014